(57)【要約】      （修正有）【課題】体形の補正体と、運動による効果を向上させるための負荷生地体とを備えながらも、着用時のシルエットが自然なものとなり、日常のあらゆる場面で着用することが可能なパンツを提供する。【課題手段】パンツ本体１と、パンツ本体１の内側に配置されるガードル２とを備える。ガードル２は、ガードル本体７と、ガードル本体７に一体化されたヒップ部分の補正体８および負荷生地体１０とを含む。負荷生地体１０は、ガードル本体７の各脚部の股下内側から、該脚部の前面を経由して、ガードル本体７の股上部の腰周り後面の該脚部寄りの箇所にわたって斜めに配置される。着用状態において、補正体８でヒップ部分を持ち上げ補正しながら、負荷生地体１０で上腿に負荷を与える。【選択図】図２
0003143210.tif 000002
【実用新案登録請求の範囲】
【請求項１】
パンツ本体（１）と、パンツ本体（１）の内側に配置されるガードル（２）とを備えており、
ガードル（２）は、ガードル本体（７）と、ガードル本体（７）に一体化されたヒップ部分の補正体（８）および負荷生地体（１０）とを含み、
ガードル本体（７）は、下腹およびヒップ部分を覆う股上部（７ａ）と、股上部（７ａ）に連続して上腿を覆う脚部（７ｂ・７ｂ）とを備えており、
負荷生地体（１０）は、各脚部（７ｂ）の股下内側から、該脚部（７ｂ）の前面を経由して、股上部（７ａ）の腰周り後面の該脚部（７ｂ）寄りの箇所にわたって斜めに配置されており、
着用状態において、補正体（８）でヒップ部分を持ち上げ補正しながら、負荷生地体（１０）で上腿に負荷を与えることを特徴とするパンツ。
【請求項２】
ガードル本体（７）が、左半部側の前身頃および後身頃を一体に備えた左半生地（１３）と、右半部側の前身頃および後身頃を一体に備えた右半生地（１４）とで構成されており、
左半生地（１３）および右半生地（１４）の脚部（７ｂ・７ｂ）が、股下内側を縫着することで筒状に形成されており、
左半生地（１３）と右半生地（１４）とが、股上部（７ａ）の前面の左右中央上端から股を経由して、股上部（７ａ）の後面の左右中央上端にわたって縫着することで一体化してある請求項１記載のパンツ。
【請求項３】
ガードル（２）は、ガードル本体（７）と、ガードル本体（７）に一体化された第１補正体（８）、第２補正体（９）、および負荷生地体（１０）とを含み、
第１補正体（８）は、股上部（７ａ）の股部後面から、股上部（７ａ）の腰周り後面の左右両側にわたって配置されており、
第２補正体（９）は、股上部（７ａ）の腰周り前面を左右に横断し、その左右両端部が股上部（７ａ）の腰周り後面に回り込んで第１補正体（８）に重なるように配置されており、
着用状態において、第１補正体（８）がヒップ部分を持ち上げ補正し、第２補正体（９）が腰周りおよび下腹を押さえ込み補正しており、
負荷生地体（１０）の上端部が、股上部（７ａ）の腰周り後面において、第２補正体（９）に重なるように配置してある請求項２記載のパンツ。
【請求項４】
ガードル本体（７）が伸縮性生地で形成されており、
第１補正体（８）、第２補正体（９）、および負荷生地体（１０）のそれぞれが、ガードル本体（７）に比べて低伸縮で高弾力のメッシュ生地で形成してある請求項３記載のパンツ。
【考案の詳細な説明】
【技術分野】
【０００１】
本考案は、体形の補正体と、運動による効果を向上させるための負荷生地体とを備えた外着用のパンツに関する。
【背景技術】
【０００２】
体形補正用のガードルを備えたパンツは、特許文献１に公知である。そこでは、ジャージ生地で形成されるパンツ本体と、パンツ本体の内側に縫い止められるガードルとでパンツを構成している。ガードルは、ガードル本体と、ガードル本体のウエスト部分に沿って配置されて、下腹および腰周りを押さえ込み補正する第１補正体および第２補正体と、ヒップ部分を持ち上げ補正する第３補正体とで構成してある。ガードル本体は、パンツ本体に比べて弾性が大きく伸縮性がわずかに小さな薄手の弾性生地で形成してある。また各補正体は、ガードル本体の形成生地に比べて高弾性で伸縮性の小さなメッシュ生地（パワーネット）で形成してある。同様のパンツは特許文献２にも公知である。
【０００３】
本考案におけるガードルは、運動による効果を向上させるための負荷生地体をガードル本体の上腿に設けるが、ロングスパッツ（パンツ）の上腿に負荷生地体を設けることは、例えば特許文献３に公知である。負荷生地体は低伸縮性生地で形成してあり、上腿の筋肉が収縮する際に負荷を与えることができる。
【０００４】
【特許文献１】登録実用新案第３１２７８４８号公報（段落番号００１４〜００１７、図３、４）
【特許文献２】登録実用新案第３１０９１２３号公報（段落番号００１５〜００２０、図３、４）
【特許文献３】特開２００６−２１９７７８号公報（段落番号００１１〜００１２、図１）
【考案の開示】
【考案が解決しようとする課題】
【０００５】
特許文献１のパンツは、着用状態におけるガードルの窮屈感を軽減しながら、各補正体によって下腹およびヒップ部分などを効果的に押さえ込み補正して、腰周りを細く見せることができる。また、パンツ本体とは別にガードルを設けるので、パンツを着用した状態においてパンツ本体が下半身に密着するのを防止して、パンツのシルエットを自然なものとすることができる。したがって、通常の外着として抵抗なく使用できる。しかし、ガードルが体形補正のみを目的として形成してあるので、このパンツを着用しても、運動による効果は向上しない。特許文献２のパンツも同じである。
【０００６】
その点、特許文献３のパンツは、ロングスパッツに多種類の負荷生地体が縫着してあるので、運動による効果は大きく向上する。しかし、ロングスパッツを着用した状態においてパンツ全体が密着し、下半身の体形が露わになるのを避けられず、スポーツジムやフィットネスクラブなどで着用することはできても、通常の外着として使用することにためらいと抵抗感がある。
【０００７】
本考案の目的は、体形の補正体と、運動による効果を向上させるための負荷生地体とを備えながらも、着用時のシルエットが自然なものとなり、日常のあらゆる場面で着用することが可能なパンツを提供することにある。
【課題を解決するための手段】
【０００８】
本考案に係るパンツは、パンツ本体１と、パンツ本体１の内側に配置されるガードル２とを備える。ガードル２は、ガードル本体７と、ガードル本体７に一体化されたヒップ部分の補正体８および負荷生地体１０とを含む。ガードル本体７は、下腹およびヒップ部分を覆う股上部７ａと、股上部７ａに連続して上腿を覆う脚部７ｂ・７ｂとを備える。負荷生地体１０は、各脚部７ｂの股下内側から、該脚部７ｂの前面を経由して、股上部７ａの腰周り後面の該脚部７ｂ寄りの箇所にわたって斜めに配置される。着用状態において、補正体８でヒップ部分を持ち上げ補正しながら、負荷生地体１０で上腿に負荷を与えることを特徴とする。なおパンツ本体１は、ジャージなどの伸縮性の高い生地で形成してあってもよく、デニムなどの伸縮性の低い生地で形成してあってもよい。
【０００９】
ガードル本体７が、左半部側の前身頃および後身頃を一体に備えた左半生地１３と、右半部側の前身頃および後身頃を一体に備えた右半生地１４とで構成されており、左半生地１３および右半生地１４の脚部７ｂ・７ｂが、股下内側を縫着することで筒状に形成されており、左半生地１３と右半生地１４とが、股上部７ａの前面の左右中央上端から股を経由して、股上部７ａの後面の左右中央上端にわたって縫着することで一体化してある形態を採ることができる。
【００１０】
詳しくは、ガードル２は、ガードル本体７と、ガードル本体７に一体化された第１補正体８、第２補正体９、および負荷生地体１０とを含む。第１補正体８は、股上部７ａの股部後面から、股上部７ａの腰周り後面の左右両側にわたって配置される。第２補正体９は、股上部７ａの腰周り前面を左右に横断し、その左右両端部が、股上部７ａの腰周り後面に回り込んで第１補正体８に重なるように配置される。着用状態において、第１補正体８がヒップ部分を持ち上げ補正し、第２補正体９が腰周りおよび下腹を押さえ込み補正する。負荷生地体１０の上端が、股上部７ａの腰周り後面において、第２補正体９に重なるように配置してある。
【００１１】
ガードル本体７が伸縮性生地で形成されており、第１補正体８、第２補正体９、および負荷生地体１０のそれぞれが、ガードル本体７に比べて低伸縮で高弾力のメッシュ生地で形成してある形態を採ることができる。
【考案の効果】
【００１２】
本考案に係るパンツは、パンツ本体１の内側のガードル２が、上腿に負荷を与える負荷生地体１０を備えているので、着用することにより、膝を上げる運動などの効果が向上する。加えて、補正体８が設けてあると、ヒップ部分が持ち上げ補正されるので、下半身のラインをより美しく見せることができる。
【００１３】
更に、補正体８および負荷生地体１０を備えるガードル２は、その上縁部２ａをパンツ本体１のウエスト部分４に縫着することで、パンツ本体１と一体化してあるので、ガードル２が上半身に密着しても、その外側のパンツ本体１が下半身に密着することはなく、着用時のシルエットが自然なものとなる。更に、ウエスト部分４以外の箇所にはガードル２を縫着した形跡が現れず、ガードル２の存在を知られ難い。したがって、本考案に係るパンツは、人目につきやすい街中を含むあらゆる場面で堂々と着用することができる。
【００１４】
本考案においては、左半生地１３および右半生地１４の脚部７ｂ・７ｂが、股下内側を縫着することで筒状に形成され、左半生地１３と右半生地１４とが、股上部７ａの前面の左右中央上端から股を経由して後面の左右中央上端にわたって縫着することで一体化してある形態を採ることができる。このように、ガードル本体７を形成する際の縫合線を全て内側に集中させて、外側には縫合線がない構成としていると、負荷生地体１０が縫合線によって区切られることがないので、負荷生地体１０の機能が損なわれず、上腿に対して効果的に作用する。
【００１５】
負荷生地体１０と、ヒップ部分を持ち上げ補正する第１補正体８とに加えて、腰周りおよび下腹を押さえ込み補正する第２補正体９を設けると、本考案に係るパンツの商品価値を更に向上させて、消費者の購買意欲を高めることができる。また、第１補正体８と第２補正体９とが重なり、更に負荷生地体１０が第２補正体９に重なっていると、これら三者８・９・１０の相対変位を防止して、それぞれを所定の各部位に的確に作用させることができる。
【００１６】
第１・第２補正体８・９および負荷生地体１０がメッシュ生地で形成してあると、ガードル２の通気性を高めて蒸れを解消し、着用時の快適性を向上させることができる。
【考案を実施するための最良の形態】
【００１７】
図１から図６は、本考案に係るパンツの実施形態を示しており、ジャージ生地で形成されるパンツ本体１と、パンツ本体１の内側に縫い止められるガードル２とを備えている。パンツ本体１は、着用者の足首付近までを覆うことができ、ガードル２は、着用者の膝付近までを覆うことができる。図１に示すようにパンツ本体１は、前身頃と後身頃との内脇縁どうしおよび外脇縁どうしをそれぞれ縫着して、筒状の左右一対の脚部パーツ３・３を形成し、次いで、両脚部パーツ３・３の上部前縁、股裏、上部後縁に沿って両脚部パーツ３・３を縫合することにより一体化して成る。パンツ本体１のウエスト部分４には、伸縮性を有する腰紐５が挿通してある。
【００１８】
図３および図４に示すようにガードル２は、ガードル本体７と、ガードル本体７に一体化された第１補正体８、第２補正体９および負荷生地体１０とで構成される。ガードル本体７は、伸縮性を有する薄手の生地で形成してあり、下腹およびヒップ部分を覆う股上部７ａと、股上部７ａに連続して上腿を覆う左右一対の脚部７ｂ・７ｂとを備えている。第１・第２補正体８・９および負荷生地体１０は、ガードル本体７に比べて低伸縮かつ高弾力のメッシュ生地、例えばパワーネットで形成されている。パワーネットは通風性に優れ、着用時の快適性の向上に寄与する。これらパワーネット８〜１０は、その周縁を全周にわたってガードル本体７に縫着することにより、ガードル本体７に一体化されている。
【００１９】
第１補正体８は、着用者のヒップ部分を持ち上げ補正する。図４に示すように第１補正体８は、左右対称の左半部８ａと右半部８ｂとで構成されており、左半部８ａと右半部８ｂのそれぞれが、着用者のヒップ部分の下部周縁に沿って湾曲した帯状を呈している。具体的には、左半部８ａが、ガードル本体７の股上部７ａの股部後面から腰周り後面の左側にわたって配置され、右半部８ｂが、股上部７ａの股部後面から腰周り後面の右側にわたって配置されている。左半部８ａおよび右半部８ｂの上下幅寸法は、股部から左側あるいは右側に向かうにつれて徐々に大きくなるように設定されている。
【００２０】
第２補正体９は、着用者の腰周りおよび下腹を押さえ込み補正する。図３および図４に示すように第２補正体９は、ガードル本体７の股上部７ａの腰周り前面を左右に横断し、その左右両端部が股上部７ａの後面に回り込んで第１補正体８の上端部に重なるように配置されている。第２補正体９の下側の周縁は、左右方向中央部において下方に突出しており、第２補正体９の上下幅寸法は、中央部から両端部に向かうにつれて徐々に小さくなるように設定されている。
【００２１】
負荷生地体１０は、着用者の上腿の左右それぞれに負荷を与えることを目的として設けられている。図３および図４に示すように負荷生地体１０は帯状を呈しており、左側の負荷生地体１０は、ガードル本体７の左側の脚部７ｂの股下内側から、該脚部７ｂの前面を経由し、股上部７ａの腰周り後面の左側寄りの箇所にわたって斜めに配置されており、右側の負荷生地体１０は、右側の脚部７ｂの股下内側から、該脚部７ｂの前面を経由し、股上部７ａの腰周り後面の右側寄りの箇所にわたって斜めに配置されている。各負荷生地体１０の上端部は、股上部７ａの後面において、第１補正体８の上端部および第２補正体９の左右端部にそれぞれ重なるとともに、両補正体８・９の重なり部分にも重なっている。
【００２２】
以上の構成からなるガードル２は、例えば次の手順で縫製して得ることができる。まず図５に示すように、ガードル本体７を構成する左右対称の左半生地１３および右半生地１４を用意する。左半生地１３は、左半部側の前身頃および後身頃を一体に備えており、右半生地１４は、右半部側の前身頃および後身頃を一体に備えている。次いで、左半生地１３に、第１補正体８の左半部８ａと、第２補正体９の左半部９ａと、左側の負荷生地体１０とを記載順に縫着し、右半生地１４に、第１補正体８の右半部８ｂと、第２補正体９の右半部９ｂと、右側の負荷生地体１０とを記載順に縫着する。
【００２３】
次いで、左半生地１３の前側下縁１３ａと後側下縁１３ｂどうし、および、右半生地１４の前側下縁１４ａと後側下縁１４ｂどうしを縫合して、左右の脚部７ｂ・７ｂを形成する。最後に、左半生地１３と右半生地１４の前側上縁１３ｃ・１４ｃどうし、および、後側上縁１３ｄ・１４ｄどうしを縫合して、両者１３・１４を一体化することにより、図３および図４に示すようなガードル２が完成する。
【００２４】
図３において符号１６は、前側上縁１３ｃ・１４ｃどうしの縫合線を示しており、この縫合線１６上で、第２補正体９の左半部９ａと右半部９ｂとが連結されている。図４において符号１７は、後側上縁１３ｄ・１４ｄどうしの縫合線を示している。また符号１８は、前側下縁１３ａと後側下縁１３ｂどうしの縫合線を示し、符号１９は、前側下縁１４ａと後側下縁１４ｂどうしの縫合線を示している。このように、ガードル本体７を形成する際の縫合線１６〜１９を全て内側に集中させて、外側には縫合線がない構成としていると、負荷生地体１０が縫合線によって区切られることがないので、負荷生地体１０の機能が損なわれず効果的に作用する。
【００２５】
ガードル２は、その上縁部２ａをパンツ本体１のウエスト部分４に縫着することで、パンツ本体１と一体化される。具体的には、図６に示すように、パンツ本体１の脚部パーツ３の折り返し部と、ウエスト部分４の両縁部と、ガードル２の上縁部２ａの折り返し部とを外側から記載順に積層し、この積層箇所を縫着糸２１で縫着することにより、ガードル２がパンツ本体１と一体化される。この一体化手法によれば、ガードル２が上半身に密着しても、その外側のパンツ本体１が下半身に密着することはなく、着用時のシルエットが自然なものとなる。更に、ウエスト部分４以外の箇所にはガードル２を縫着した形跡が現れず、ガードル２の存在を知られ難い。なお、縫着糸２１による縫着後には、裁ち目かがりを施してある。
【００２６】
以上のように、本実施形態に係るパンツは、上腿に負荷を与える負荷生地体１０を備えているので、着用することにより、膝を上げる運動などの効果が向上する。加えて、第１補正体８が設けてあると、ヒップ部分が持ち上げ補正されるので、下半身のラインをより美しく見せることができる。
【００２７】
その他、補正体８・９および負荷生地体１０は、図面に示した形状に限られず、場合によっては２つ以上のパワーネットを一体とすることができる。パワーネットの縫着順は、実施形態で示したものに限られない。パワーネットは、ガードル本体７の内外どちらに配置してあってもよい。パワーネットをガードル本体７に一体化する手段は縫着に限られない。ガードル本体７の脚部７ｂの下端部に環状のゴムなどが設けてあってもよい。
【図面の簡単な説明】
【００２８】
【図１】パンツの正面図である。
【図２】パンツの上部側面図である。
【図３】ガードルを裏返した状態の正面図である。
【図４】ガードルを裏返した状態の背面図である。
【図５】ガードルの分解図である。
【図６】前身頃中央部におけるパンツとガードルの縫着部の断面図である。
【符号の説明】
【００２９】
１  パンツ本体
２  ガードル
２ａ  ガードルの上縁部
４  ウエスト部分
７  ガードル本体
７ａ  ガードル本体の股上部
７ｂ  ガードル本体の脚部
８  第１補正体
９  第２補正体
１０  負荷生地体
１３  右半生地
１４  左半生地
【図１】
0003143210.tif 000003
【図２】
0003143210.tif 000004
【図３】
0003143210.tif 000005
【図４】
0003143210.tif 000006
【図５】
0003143210.tif 000007
【図６】
0003143210.tif 000008